(57)【要約】【課題】電子機器の駆動電源の使用形態に応じた最適な放熱プロセスを提供すること。【解決手段】バッテリもしくは外部電源によって選択駆動可能な電子機器で、外部電源により電子機器を駆動するための外部電源回路部と、前記バッテリを冷却する第１の冷却モードと前記外部電源回路を冷却する第２の冷却モードで冷却可能な冷却ユニットと、バッテリを収納するバッテリケースと、前記電子機器がバッテリもしくは外部電源のどちらによって電源駆動しているかを判別する電源判別手段と、前記電源判別手段の判別結果に応じて前記第１の冷却モードと第２の冷却モードを切り替える冷却対象制御部とを有し、前記冷却ユニットは前記外部電源回路部と前記バッテリケースの間に配置され、前記冷却対象制御部は前記第１の冷却モード時は前記バッテリを冷却するように前記冷却ユニットを制御し、前記第２の冷却モード時は前記外部電源回路部を冷却するように前記冷却ユニットを制御することを特徴とする。【選択図】図１０
2017126504.tif 000002
【特許請求の範囲】
【請求項１】
バッテリもしくは外部電源によって選択駆動可能な電子機器において、
外部電源により電子機器を駆動するための外部電源回路部と、
前記バッテリを冷却する第１の冷却モードと前記外部電源回路を冷却する第２の冷却モードで冷却可能な冷却ユニットと、
バッテリを収納するバッテリケースと、
前記電子機器がバッテリもしくは外部電源のどちらによって電源駆動しているかを判別する電源判別手段と、
前記電源判別手段の判別結果に応じて前記冷第１の冷却モードと第２の冷却モードを切り替える冷却対象制御部と、を有し、
前記冷却ユニットは前記外部電源回路部と前記バッテリケースの間に配置され、
前記冷却対象制御部は前記第１の冷却モード時は前記バッテリを冷却するように前記冷却ユニットを制御し、前記第２の冷却モード時は前記外部電源回路部を冷却するように前記冷却ユニットを制御することを特徴とする電子機器。
【請求項２】
前記電子機器はバッテリを充電する充電回路部を有し、前記電源判別手段の判別結果によって電源オフ時に外部電源及びバッテリが接続されていることを判別したとき、前記充電回路部はバッテリの充電を開始し、且つ前記冷却対象制御部はバッテリを冷却するように冷却ユニットを制御することを特徴とする請求項１に記載の電子機器。
【請求項３】
前記冷却ユニットは軸流ファンであり、前記冷却対象制御部は前記電源判別手段の判別結果に応じて前記軸流ファンの回転方向を変えるように制御され、前記軸流ファンは回転方向が変わることによって面方向から排出される風向きを変えることを特徴とする請求項１又は請求項２に記載の電子機器。
【発明の詳細な説明】
【技術分野】
【０００１】
本発明は、電子機器に関し、特に電子機器内のバッテリ及び外部電源用回路の冷却構造に関する。
【背景技術】
【０００２】
近年、カメラやパソコンなどの電子機器において、持ち運び状態でも電源を供給して使用可能とするためにバッテリによって電源供給可能なものがほとんどである。このバッテリの電池は小型で高電圧まで対応可能なリチウムイオン二次電池が主流となっている。
【０００３】
一方、近年の電子機器の消費電力は性能の向上に伴って増加する傾向にある。そのため、消費電力の増加に伴ってバッテリの電源消費量は大きくなり、バッテリの発熱量が増える。そして、バッテリの発熱によって電子機器本体内部の温度が上昇し機器の故障や使用者に不快感を与えるという恐れがある。そのため、バッテリの温度情報を取得し、一定温度以上となるとバッテリからの電源供給を止める保護回路を働かせている電子機器も多い。
【０００４】
しかし、この様な電子機器では、特に高温環境下などでは、一定温度に達するまでの時間が短くなるため、バッテリを用いた長時間撮影が望めない。そのため、バッテリを冷却することが望ましい。
【０００５】
この問題に対し、特許文献１では、バッテリセルと、バッテリセルの温度を検出する温度検出部と、バッテリセルを冷却する冷却部と、バッテリセルから電力が供給される電子機器から電子機器が冷却部に対応しているか否かの第一の情報を受信する情報受信部と、第一の情報に基づいて、電子機器が冷却部に対応している場合、検出された温度に応じて冷却部のオン又はオフを切り替え、電子機器が冷却部に対応していない場合、冷却部の駆動をオフのままとする冷却機能制御部とを備えることで、バッテリを適切に冷却可能な構造を提案している。
【先行技術文献】
【特許文献】
【０００６】
【特許文献１】特開２０１１−１８７２２７号公報
【発明の概要】
【発明が解決しようとする課題】
【０００７】
電子機器に電源を供給する手段としては、バッテリもしくは外部電源からの供給の２種類が考えられるが、これらの電源供給手段は排他となることが一般的である。また、外部電源使用時には電子機器本体内部の外部電源用の回路が発熱する。
【０００８】
しかしながら、上記従来例では外部電源用の回路の冷却については言及されていない。また、電源オフの状態でバッテリを本体内で充電可能な電子機器において、バッテリは充電中にも発熱するため、電源をオンした時にバッテリの温度が高温のままとなり、電子機器の撮影時間が短くなる、という問題点があった。
【課題を解決するための手段】
【０００９】
上記の課題を解決するために、本発明に係る電子機器は、
バッテリもしくは外部電源によって選択駆動可能で、前記外部電源により電子機器を駆動するための外部電源回路部と、前記バッテリを冷却する第１の冷却モードと前記外部電源回路を冷却する第２の冷却モードで冷却可能な冷却ユニットと、バッテリを収納するバッテリケースと、前記電子機器がバッテリもしくは外部電源のどちらによって電源駆動しているかを判別する電源判別手段と、前記電源判別手段の判別結果に応じて前記第１の冷却モードと第２の冷却モードを切り替える冷却対象制御部とを有し、前記冷却ユニットは前記外部電源回路部と前記バッテリケースの間に配置され、前記冷却対象制御部は前記第１の冷却モード時は前記バッテリを冷却するように前記冷却ユニットを制御し、前記第２の冷却モード時は前記外部電源回路部を冷却するように前記冷却ユニットを制御することを特徴とする。
【発明の効果】
【００１０】
本発明に係る電子機器によれば、駆動電源の使用形態に応じて、適切な放熱プロセスを提供することが可能な構造を提供できる。
【図面の簡単な説明】
【００１１】
【図１】本発明の実施形態に係る撮像装置の外観前方からの斜視図
【図２】本発明の実施形態に係る撮像装置の外観後方からの斜視図
【図３】本発明の実施形態に係る撮像装置内部の回路基板の斜視図
【図４】本発明の実施形態に係る撮像装置内部の回路基板周辺の前方からの斜視図
【図５】本発明の実施形態に係る撮像装置内部の回路基板周辺の前方からの斜視図
【図６】本発明の実施形態に係る撮像装置内部のバッテリ周辺の前方からの斜視図
【図７】本発明の実施形態に係る撮像装置内部のバッテリ周辺の後方からの斜視図
【図８】本発明の実施形態に係る撮像装置の電源用ファン周辺の右側面断面図
【図９】本発明の実施形態に係る撮像装置の構成を示すブロック図
【図１０】本発明の実施形態に係る撮像装置のファン制御方法のフローチャート
【発明を実施するための形態】
【００１２】
以下、図面に従って本発明の好ましい実施の形態について説明する。
【００１３】
図１、２は本発明の実施形態に係る撮像装置でレンズ交換式撮像装置の斜視図である。特に、図１は撮像装置の外観前方からの斜視図、図２は撮像装置の外観後方からの斜視図である。
【００１４】
図１、２に示したように、撮像装置１の前方には、レンズマウント部１０１、交換式レンズの装着を検知し電気的に制御する不図示のレンズ接点部、交換式レンズを取り外すレンズ取り外しボタン１０２を有し、交換レンズ２が着脱可能に支持される。また、図示されていないが、レンズマウント部１０１の後方で本体内部には、被写体の映像を受光する撮像素子と、撮像素子で得られた映像信号を所定の信号に変換するセンサ基板を有する。
【００１５】
撮像装置１の前方から見て右側面には、撮影者の操作によって撮像装置本体に所定の動作を実行させる操作ボタン群１０３、ＲＥＣボタン１０４、電源スイッチ１０５、本体内部のファンが低温の空気を外部から吸い込むための吸気口１０６を有する。
【００１６】
吸気口１０６は、撮像装置１の撮影状態（保持状態及び据置状態）において塞がれる可能性が低い箇所に配置されることが望ましく、本実施例においては操作ボタン群１０３の間に配置される。
【００１７】
撮像装置１の上方には種々のアクセサリが着脱可能なアクセサリシュー１０７を有する。
【００１８】
撮像装置１の後方には、撮像装置１の制御状態及び映像を撮影者が覗き込んで確認可能なファインダユニット１０８、撮像装置１の制御状態を確認可能な液晶表示部１０９、記録媒体を収納する記録媒体収納蓋１１０、撮像装置１に電源供給するバッテリ１１１、バッテリ１１１を収納するバッテリ室１１２、バッテリー部を覆うバッテリ蓋１１３、外部接続端子などの入出力端子群１１４、撮像装置１に外部から電源供給する外部電源端子１１５、本体内部のファンが高温の空気を外部へ吐き出すための第１の排気口１１６ａ、第２の排気口１１６ｂを有する。
【００１９】
第１の排気口１１６ａ及び第２の排気口１１６ｂは、撮像装置１の撮影状態において塞がれる可能性が低く、且つ、撮影者に直接排気風が当たりにくい箇所に配置されることが望ましく、本実施例においては撮像装置１の入出力端子群１１４に近接して配置される。なお、図１、２では不図示としたが、入出力端子群１１４及び外部電源端子１１５は、各端子が非使用時において各端子部を覆う各蓋部材を備える。
【００２０】
撮像装置１の前方から見て左側面には、グリップ部３を着脱可能とするグリップネジ部１１７を有する。
【００２１】
グリップ部３には、グリップＲＥＣボタン３０１、レンズの絞りを調節可能なグリップ絞りダイヤル３０２、グリップ十字キー３０３、グリップ３を撮影者が把持する時の補助となるグリップベルト３０４を有する。
【００２２】
図１、２に示したように、撮像装置１はレンズマウント部１０１に対応した交換レンズ２を装着することができ、レンズ接点部を通じて交換レンズ２と撮像装置１は信号を送受信することで、操作ボタン群１０３や、グリップ絞りダイヤル３０２の操作によって交換レンズ２の制御が可能となっている。
【００２３】
図３は本発明の実施形態に係る撮像装置内の回路基板の斜視図である。
【００２４】
図３に示したように、撮像装置１の内部には撮像装置１を操作した際の入力信号等の制御や、撮像素子で得られた映像信号の処理及び各種制御を行うメイン基板４と、後述する電源コネクタが実装されるサブ基板５を有する。メイン基板４とサブ基板５は、ＢｔｏＢコネクタ４０１によって接続され、各種信号の送受信が行われる。
【００２５】
サブ基板５には、外部電源端子１１５から入力された電源をワイヤー接続するための外部電源コネクタ５０１と、バッテリ１１１から入力された電源をワイヤー接続するためのバッテリ電源コネクタ５０２と、バッテリ１１１の温度信号や装着検出信号を撮像装置本体とやりとりするためのバッテリ信号コネクタ５０３と、サブ基板５からメイン基板４へ電源を供給する内部電源接続ワイヤー６０１が接続されるサブ基板内部電源コネクタ５０４とが実装される。バッテリ１１１もしくは外部電源端子１１５から入力された電源は、内部電源接続ワイヤー６０１によってサブ基板５からメイン基板４に供給される。
【００２６】
メイン基板４には、内部電源接続ワイヤー６０１が接続されるメイン基板内部電源コネクタ４０２と、バッテリ１１１よりも高い外部電源の電圧を変換する外部電源用回路４０３と、各種機能部を駆動するための駆動電圧を生成する共通電源用回路４０４とが実装される。外部電源から電源が供給される際は、外部電源用回路４０３が駆動するため、外部電源用回路４０３が高温になる。それぞれの電源回路の駆動制御方法については後述する。
【００２７】
図４、５は本発明の実施形態に係る撮像装置内の斜視図であり、図３で示した回路基板に内部構造部品が取り付いた状態を示した図である。特に、図４は撮像装置内の前方からの斜視図、図５は撮像装置内の後方からの斜視図である。
【００２８】
図４、５に示したように、メイン基板４及びサブ基板５は、ダクトユニット７に直接取り付けられる。ダクトユニット７は、メイン基板４及びサブ基板５が取り付く第１のダクト７０１と、第１のダクト７０１と連結される第２のダクト７０２と、連結された第１のダクト７０１と第２のダクト７０２を覆うように配置されるダクト蓋７０３とで構成される。第１のダクト７０１及び第２のダクト７０２は、熱伝導性に優れ、且つ剛性も高いアルミダイキャスト等で形成される。連結された第１のダクト７０１と第２のダクト７０２に対してダクト蓋７０３が蓋をするようにビスで接続されることで、ダクトユニット７の内部には空気が流れるための空間が設けられる。
【００２９】
メイン基板４及びサブ基板５は熱源となる主要制御系の素子が放熱ゴムなどを介して第１のダクト７０１に当接するようにして、第１のダクト７０１にビスで接続される。この構造により、メイン基板４及びサブ基板５の主要制御系の素子の発熱は第１のダクト７０１に伝えられ、ダクトユニット７内の空気を高温にする。
【００３０】
第２のダクト７０２にはダクトユニット７の不図示の開口部と連結された第１のファン７０４ａ、及び第２のファン７０４ｂが接続される。第１のファン７０４ａ及び第２のファン７０４ｂは、面方向で空気を吸い込み、遠心方向へ送風する遠心ファンであり、それぞれ第１の排出口７０５ａと、第２の排出口７０５ｂを有する。
【００３１】
また、ダクトユニット７は、第１のダクト７０１及びダクト蓋７０３によって囲まれた側部に吸入口７０６を有する。吸入口７０６は撮像装置１の吸気口１０６と連結され、第１の排出口７０５ａ及び第２の排出口７０５ｂは撮像装置１の第１の排気口１１６ａ及び第２の排気口１１６ｂと連結される。
【００３２】
第１のファン７０４ａ及び第２のファン７０４ｂは、サブ基板５上の第１のファンコネクタ５０５及び第２のファンコネクタ５０６にワイヤー接続され、それぞれのファンの回転が制御される。第１のファン７０４ａ及び第２のファン７０４ｂが回転すると、撮像装置１の吸気口１０６から冷たい空気をダクトユニット７内へ吸い込み、メイン基板４及びサブ基板５の発熱によって高温となったダクトユニット７の空気を撮像装置１の第１の排気口１１６ａ及び第２の排気口１１６ｂから吐き出すことが可能である。また、この構造によりダクトユニット７内に空気を通過させることで、万が一ゴミや水が撮像装置１内に侵入してもダクトユニット７に留めることができ、撮像装置１の故障を防ぐことが可能となる。
【００３３】
メイン基板４のダクトユニット７と反対側の面には、保持板金６０２が接続される。保持板金６０２は熱伝導性の高いアルミなどで形成される。保持板金６０２はメイン基板４の熱源となる素子に放熱ゴムなどを介して当接するように接続される。保持板金６０２は複数の接続部６０２１を有し、第２のダクト７０２に接続される。この構造により、メイン基板４の保持板金６０２側の発熱を第２のダクト７０２に伝えることができ、一定時間経過後には第２のダクト７０２全体に熱が拡散し、ダクトユニット７の内部空気に熱を伝えることが可能となる。つまり、メイン基板４の両面から発熱する熱をダクトユニット７内の空気に効率よく伝え、撮像装置１の外部へ排出することが可能である。
【００３４】
保持板金６０２は複数の腕部６０２２を有し、腕部６０２２には電源用ファン６０３がビスで接続される。
【００３５】
電源用ファン６０３は、メイン基板４上の電源用ファンコネクタ４０５にワイヤー接続され、ファンの回転が制御される。電源用ファン６０３は軸流ファンであり、面直方向から空気を吸い込み、反対側に空気を吐き出す。電源用ファン６０３は正回転と逆回転の回転方向に回転可能であり、その回転方向を切り替えることによって、空気の吐き出し方向を切り替えることが可能なファンである。電源用ファン６０３はメイン基板４に略平行で、且つ外部電源から電源供給する際に高温となる前記外部電源用回路４０３と投影上重なるように配置される。これにより、撮像装置１は、電源用ファン６０３を正回転（図５の矢印Ａ方向）させると、電源用ファン６０３から排出された風が外部電源用回路４０３に当てられ、外部電源用回路４０３の冷却が可能となる。
【００３６】
図６〜８は本発明の実施形態に係る撮像装置のバッテリ周辺の斜視図であり、電源用ファンとの位置関係を示した図である。特に、図６はバッテリ周辺の前方からの斜視図、図７はバッテリ周辺の後方からの斜視図、図８は本発明の実施形態に係る撮像装置の電源用ファン周辺の右側面断面図であり、電源用ファンと外部電源用回路及びバッテリとの位置関係示した図である。
【００３７】
図６〜８に示したように、バッテリ１１１は箱状に形成されたバッテリ室１１２に収納される。バッテリ１１１の底面には、長手方向の二辺上に形成され、前記バッテリ室１１２に収納保持されるための複数のバッテリ爪６０９が配置される。バッテリ室１１２の底面には、前記複数のバッテリ爪６０９に係合する複数のバッテリ爪係合部６１０が配置される。バッテリ１１１をバッテリ室１１２に落とし込み、スライドさせることで前記バッテリ爪６０９がバッテリ爪係合部６１０に係合する。
【００３８】
バッテリ室１１２の側面には、バッテリ１１１がバッテリ室１１２に収納された状態で保持するバッテリロックノブ６０４が配置される。バッテリロックノブ６０４はバッテリロック部６０４１を有し、前記バッテリロック部６０４１はバッテリ１１１がバッテリ室１１２に収納された状態で前記バッテリ爪６０９に当接し、バッテリ１１１がスライドするのを防ぐ。バッテリロックノブ６０４はその表面の矢印方向に回転可能に支持され、前記バッテリロックノブ６０４は付勢ばね６０５によってバッテリ１１１のロック方向（表面の矢印と反対方向）に保持される。付勢ばね６０５の付勢力に抗してバッテリロックノブ６０４を矢印方向に操作すると、バッテリロック部６０４１がバッテリ爪６０９から離間し、バッテリ１１１をバッテリ室１１２から取り出すことが可能となる。
【００３９】
バッテリ１１１は、外側を覆うケースと、バッテリセルと、バッテリ内部の温度や装着検出信号を制御するバッテリ基板と、バッテリ基板に電気的に接続された電源接点部及び信号接点部によって構成される。
【００４０】
バッテリ室１１２の前方には、前記バッテリ１１１の電源接点部に接するバッテリ電源端子６０６と、信号接点部に接するバッテリ信号端子６０７を備える。バッテリ１１１から電源が供給される際は、内部のバッテリーセル及び電源接点部が高温になり、電源接点部と接するバッテリ電源端子６０６に熱が伝わる。
【００４１】
バッテリ室１１２の前方には、保持板金６０２に保持された電源用ファン６０３を備える。電源用ファン６０３は、バッテリ１１１から電源供給する際に高温となる前記バッテリ電源端子６０６と略平行で且つ投影上重なる位置に配置される。これにより、撮像装置１は、電源用ファン６０３を逆回転（図６の矢印Ｂ方向）させると、電源用ファン６０３から排出された風がバッテリ電源端子６０６に当てられ、バッテリ１１１の冷却が可能となる。
【００４２】
また、バッテリ室１１２のバッテリ爪係合部６１０の裏側には、バッテリ爪係合部６１０を形成するために金型構造上必要となる複数の空洞部６０８を有する。電源用ファン６０３は前記空洞部６０８と略平行で且つ投影上重なる位置に配置される。電源用ファン６０３から排出された風が前記空洞部６０８を通ってバッテリ１１１に当てられることによっても、バッテリ１１１の冷却が可能となる。
【００４３】
図８に示したように、保持板金６０２に保持された電源用ファン６０３は、メイン基板４に略平行で且つ外部電源用回路４０３と投影上重なるように配置される。また、保持板金６０２に保持された電源用ファン６０３は、バッテリ１１１のバッテリ電源端子６０６及びバッテリ室１１２の空洞部６０８と略平行で且つ投影上重なる位置に配置される。つまり、メイン基板４の外部電源用回路４０３と、バッテリ１１１のバッテリ電源端子６０６及びバッテリ室１１２の空洞部６０８との間に電源用ファン６０３が配置される。
【００４４】
電源用ファン６０３が正回転（図５の矢印Ａ方向）すると図８の矢印Ｘ方向に電源用ファン６０３から風が排出されて外部電源用回路４０３を冷却し、逆回転（図６の矢印Ｂ方向）すると図８のＹ方向に電源用ファン６０３から風が排出されてバッテリ１１１を冷却する。つまり、電源用ファン６０３の回転方向を正回転・逆回転と切り替えることによって、電源用ファン６０３の面方向に対向する外部電源用回路４０３もしくはバッテリ１１１という冷却対象を切り替えることが可能となる。
【００４５】
次に、図９、１０を用いて撮像装置１のファンの制御方法について説明する。
【００４６】
図９は本発明の実施形態に係る撮像装置の構成を示すブロック図である。
【００４７】
本実施例の撮像装置１はまず交換レンズ２に入射した被写体の像が、撮像素子４００１によって電気信号に変換される。変換された電気信号は、メイン基板４の制御部４００２に入力される。撮像装置１の制御部４００２は、撮像素子４００１から送られる信号電荷を輝度信号及び色差信号のデジタル映像データに変換する画像処理部４００３と、ＣＰＵ（Ｃｅｎｔｒａｌ  Ｐｒｏｃｅｓｓｉｎｇ  Ｕｎｉｔ）である制御ＩＣ４００４と、揮発性メモリであるワークメモリ部４００５で構成される。
【００４８】
画像処理部４００３で変換されたデジタル映像データは、ワークメモリ部４００５に一時的に記録され、制御ＩＣ４００４の制御によって記録媒体４００６へと記録される。前記デジタル映像データは、ファインダユニット１０８内のパネルユニット４００７にて撮影した映像データの確認が行える。また、あらかじめプログラムメモリ部４００８に格納されている各種アイコン表示をパネルユニット４００７に表示することも可能である。
【００４９】
本実施例の撮像装置１は、電源スイッチ１０５を時計回りに回転操作させることにより、電源検出スイッチ４００９が押し込まれて信号が制御ＩＣ４００４に送られ、撮像装置１本体の電源がオンされる。また、ＲＥＣボタン１０４を押し込み操作することにより、ＲＥＣスイッチ４０１０が押し込まれ、撮影映像の記録がなされる。電源スイッチ１０５を反時計回りに回転操作させることにより、再生検出スイッチ４０１１が押し込まれて信号が制御ＩＣ４００４に送られ、記録媒体４００６に記録された映像の確認を行う再生モードへと移行する構成となっている。
【００５０】
本実施例の撮像装置１は、外部電源もしくはバッテリ１１１によっていずれか一方で電源駆動が可能である。外部電源の電源プラグが撮像装置１本体の外部電源端子１１５に接続されると、前記外部電源端子１１５と繋がった内部の電源ワイヤがサブ基板５上の外部電源コネクタ５０１と導通することで、外部電源によって撮像装置１へ電源が供給される。
【００５１】
また、バッテリ１１１をバッテリ室１１２に収納すると、バッテリ１１１の電源接点部にバッテリ電源端子６０６が接し、前記バッテリ電源コネクタ５０２と繋がった内部の電源ワイヤがサブ基板５上のバッテリ電源コネクタ５０２と導通することで、バッテリ１１１によって撮像装置１へ電源が供給される。
【００５２】
サブ基板５は外部電源もしくはバッテリ１１１のどちらによって撮像装置１本体に電源が供給されたかを識別する電源検出回路４０１２を有する。電源検出回路４０１２の検出結果に応じて、メイン基板４の電源部４０５０に実装される電源切替回路４０１３によって電源回路が切り替えられる。
【００５３】
外部電源が接続された時は、電源切替回路４０１３によって外部電源用回路４０３を経由して適切な電圧に変換され、共通電源用回路４０４にて各種機能部を駆動するための駆動電圧が生成される。メイン基板４上の前記外部電源用回路４０３が駆動すると発熱し、素子の温度が規定の保証温度を越えると撮像装置１が故障する恐れがあるため、外部電源用回路４０３の熱を放熱する必要がある。
【００５４】
また、バッテリ１１１が接続された時は、電源切替回路４０１３によって直接共通電源用回路４０４にて各種機能部を駆動するための駆動電圧が生成される。バッテリ１１１から電源が供給されると、バッテリ１１１が発熱し、バッテリセルの温度が規定の保証温度を越えてバッテリが故障する恐れがある、もしくは規定の保証温度を越える前に電源供給が止まり、撮像装置１の電源が短い撮影時間でオフされてしまう恐れがあるため、バッテリ１１１を放熱する必要がある。
【００５５】
電源用ファン６０３は、前記電源検出回路４０１２の検出結果に応じて、ファン回転制御部４０１４によってその回転方向を制御される。具体的には、本実施例の撮像装置１は、電源検出回路４０１２によって外部電源から電源が供給されていると検出したとき電源用ファン６０３を正回転させて外部電源用回路４０３を冷却し、電源検出回路４０１２によってバッテリ１１１から電源が供給されていると検出したとき電源用ファン６０３を逆回転させてバッテリ１１１を冷却する。
【００５６】
また、メイン基板４上の電源部４０５０は充電回路４０１５を有する。電源検出回路４０１２によって外部電源とバッテリ１１１が撮像装置１に接続されていることを検出し、且つ撮像装置１本体の電源がオフのとき、充電回路４０１５によって外部電源から供給される電源をバッテリ１１１に供給し、バッテリ１１１を充電する。撮像装置１本体は駆動していないが、バッテリ１１１は充電されることで発熱するため、バッテリ１１１を放熱する必要がある。本実施例の撮像装置１は、電源検出回路４０１２によって外部電源とバッテリ１１１が撮像装置１に接続されていることを検出し、且つ撮像装置１本体の電源がオフのとき、電源用ファン６０３を逆回転させてバッテリ１１１を冷却する。
【００５７】
図１０は本発明の実施形態に係る撮像装置のファン制御方法のフローチャートである。
【００５８】
図１０に示したように、まずステップ１０１で撮像装置本体の電源スイッチがオンされると撮像装置が起動する。
【００５９】
ステップ１０２に進み、外部電源が接続されたか否かを判断する。外部電源の接続が検出された時、ステップ１０３に進み、ファン回転制御部４０１４の制御によって電源用ファン６０３が正回転で回転する。電源用ファン６０３が正回転すると、図８の矢印Ｘ方向に風が排出され、メイン基板４上の外部電源用回路４０３を冷却することができる。ステップ１０３で電源用ファン６０３が正回転で回転した後、ステップ１０４に進む。ステップ１０２で外部電源の接続が検出されなかった時、つまりバッテリ１１１の接続が検出された時はステップ１０５に進み、ファン回転制御部４０１４の制御によって電源用ファン６０３が逆回転で回転する。電源用ファン６０３が逆回転すると、図８の矢印Ｙ方向に風が排出され、バッテリ１１１を冷却することができる。ステップ１０５で電源用ファン６０３が逆回転で回転した後、ステップ１０４に進む。このファン制御方法により、外部電源とバッテリ１１１とのいずれかの電源駆動状況を判別し、要放熱対象を効率よく冷却することが可能となる。
【００６０】
ステップ１０４で撮像装置本体の電源スイッチがオフ操作されたかを判断する。電源がオフ操作されるとステップ１０６に進み撮像装置１の電源がオフされ、ステップ１０７に進む。ステップ１０４で電源がオフ操作されない場合はステップ１０２に戻り、同様の処理を続ける。
【００６１】
ステップ１０７に進み、外部電源且つバッテリ１１１が接続されているかを判断する。外部電源且つバッテリ１１１が接続されている場合はステップ１０８に進みバッテリ１１１の本体内充電を開始する。外部電源且つバッテリ１１１が接続されていない場合はステップ１１１に進み電源用ファン６０３を停止する。
【００６２】
ステップ１０８でバッテリ１１１の本体内充電が開始すると、ステップ１０９に進み、ファン回転制御部４０１４の制御によって電源用ファン６０３が逆回転で回転する。電源用ファン６０３が逆回転すると、図８の矢印Ｙ方向に風が排出され、バッテリ１１１を冷却することができる。ステップ１０８で電源用ファン６０３が逆回転した後、ステップ１１０に進み、バッテリ１１１の充電が完了したかを判断する。
【００６３】
ステップ１１０でバッテリ１１１の充電が完了した場合はステップ１１１に進んで電源用ファン６０３を停止し、バッテリ１１１の充電が完了していない場合はステップ１０８に戻りバッテリ１１１の充電と冷却を続ける。このファン制御方法により、撮像装置１の電源がオフされた後にバッテリ１１１の充電が開始すると、電源用ファン６０３が駆動してバッテリ１１１を冷却するため、電源を入れた時もバッテリ１１１が冷やされた状態で撮影を開始することが可能となる。
【００６４】
ステップ１１１で電源用ファン６０３が停止するとステップ１１２に進み、処理を終了する。
【００６５】
以上、説明したように、外部電源もしくはバッテリ１１１の接続を検出し、前記検出結果に応じて電源用ファン６０３の回転方向を正回転・逆回転と切り替えることによって、電源用ファン６０３の面方向に対向する外部電源用回路４０３もしくはバッテリ１１１という冷却対象を切り替え、要放熱対象を効率よく冷却することが可能となる。より詳細には、消費電力が大きな撮像装置においてバッテリ電源駆動時に熱源となるバッテリ１１１を冷却することができ、バッテリ非使用時（外部電源使用時）には別途発熱する外部電源用回路４０３を冷却することが可能となる。また、バッテリ充電時においてもバッテリを冷却することが可能となる。
【００６６】
この様に、駆動電源の使用形態に応じて、適切な放熱プロセスを提供することが可能な構造を提供できる。
【００６７】
以上、本発明を図示の実施の形態によって説明したが、本発明は上記実施の形態によって限定されることなく、発明の技術的思想の範囲内において各種の変更が可能である。例えば、本実施例においては電源用ファンは撮像装置内部に備えられ内部の空気を循環するためのファンであるが、外部電源用回路とバッテリの間に強制空冷のダクトユニットを配置し、外部へ高温の空気を排出する冷却構造としてもよい。
【符号の説明】
【００６８】
１  撮像装置、１１１  バッテリ、１１２  バッテリ室、１１５  外部電源端子、
４  メイン基板、４０３  外部電源用回路、４０４  共通電源用回路、
４０１２  電源検出回路、４０１４  ファン回転制御部、５  サブ基板、
５０１  外部電源コネクタ、５０２  バッテリ電源コネクタ、６０２  保持板金、
６０３  電源用ファン、６０６  バッテリ電源端子、６０７  バッテリ信号端子、
６０８  空洞部
【図１】
2017126504.tif 000003
【図２】
2017126504.tif 000004
【図３】
2017126504.tif 000005
【図４】
2017126504.tif 000006
【図５】
2017126504.tif 000007
【図６】
2017126504.tif 000008
【図７】
2017126504.tif 000009
【図８】
2017126504.tif 000010
【図９】
2017126504.tif 000011
【図１０】
2017126504.tif 000012